(57)【要約】【課題】本発明の課題は、軸筒に、キャップを容易に着脱自在に装着でき、キャップ内の気密性が低下しにくいキャップ式筆記具を提供するものである。【解決手段】本発明は、前記課題を解決するために、軸筒の先端部に、合成樹脂製からなるキャップを着脱自在に装着するキャップ式筆記具であって、前記キャップが、キャップ本体の外壁の後端部に、弾性体からなる滑り止め部を周設するとともに、前記キャップ本体を軸筒に装着した状態で、前記滑り止め部が前記軸筒の先端部に周接し、キャップ本体内を気密にしたことを特徴とするものである。【選択図】      図１
2008183734.tif 000002
【特許請求の範囲】
【請求項１】
軸筒の先端部に、合成樹脂製からなるキャップを着脱自在に装着するキャップ式筆記具であって、前記キャップが、キャップ本体の外壁の後端部に、弾性体からなる滑り止め部を周設するとともに、前記キャップ本体を軸筒に装着した状態で、前記滑り止め部が前記軸筒の先端部に周接し、キャップ本体内を気密にしたことを特徴とするキャップ式筆記具。
【請求項２】
前記滑り止め部の後端面が、キャップ本体の後端面よりも後方に位置することを特徴とする請求項１に記載のキャップ式筆記具。
【請求項３】
前記滑り止め部の後端部に鍔部を形成し、該鍔部と軸筒が周設していることを特徴とする請求項１または２に記載のキャップ式筆記具。
【請求項４】
前記キャップ本体が、透明又は半透明の合成樹脂からなるとともに、前記滑り止め部が半透明又は不透明の弾性体からなり、前記滑り止め部を周設した部分のキャップ本体の内壁面に、筆記具本体と嵌合する嵌合部を形成したことを特徴とする請求項１ないし３の何れか１項に記載のキャップ式筆記具。
【発明の詳細な説明】
【技術分野】
【０００１】
本発明は、筆記具の軸筒に、合成樹脂製からなるキャップを着脱自在に装着するキャップ式筆記具に関する。
【背景技術】
【０００２】
従来から、筆記具の軸筒に、合成樹脂製からなるキャップを着脱自在に装着するキャップ式筆記具はよく知られている。こうした筆記具のキャップは、筆記具の軸筒に着脱自在に装着するため、軸筒の外壁面とキャップの内壁との乗り越し嵌合、凹凸嵌合等によって装着されている。
【０００３】
軸筒とキャップ本体を凹凸嵌合や乗り越し嵌合とすることは、キャップを容易に着脱できるので、利便性は高いが、繰り返しの使用や経時によって、嵌合力が低下する。そのため、軸筒とキャップの初期の嵌合力を高くする必要があるが、キャップを軸筒から着脱し難くなるという問題があった。
【０００４】
また、キャップが透明又は半透明の場合には、軸筒との凹凸嵌合や乗り越し嵌合時に当接し擦れる嵌合部等が、経時によって白化し、見栄えが悪くなるという問題があった。
【０００５】
こうした問題を鑑みて、特開平０９−６６６９４号公報「筆記具のキャップ」に、特殊な樹脂材料を用いることによって、耐衝撃性や耐摩耗性に優れた筆記具のキャップが開示されている。
【０００６】
ところで、特開２００１−３２８３９２号「筆記具」に、軸筒の把持部に弾性体を装着し、この弾性体を被覆するようにキャップ本体を装着してなるキャップ式筆記具が開示されている。
【０００７】
こうしたキャップ式筆記具は、軸筒とキャップを乗り越し嵌合するだけでなく、軸筒の把持部に装着した弾性体より後端側の軸筒に、段部や突起部を形成し、この段部や突起部の外径を、キャップの開口部の内径より大きくして、圧入嵌合することにより、キャップが軸筒に対して横ぶれを起こさないようにするとともに、軸筒とキャップ本体の乗り越し嵌合の補助的な役割も果たしている。また、段部や突起部が周状に連続的に形成してあれば、キャップ内の気密性も確保できる効果を奏する。
【特許文献１】「特開２００１−３２８３９２号公報」
【特許文献２】「特開平０９−６６６９４号公報」
【発明の開示】
【発明が解決しようとする課題】
【０００８】
しかしながら、特殊な材料を用いることは、製品コストが高騰し、低価格品には不向きであるとともに、成形条件変更による寸法精度のバラツキや経時試験等の新たな課題が発生する。
【０００９】
また、従来の低価格のキャップ式筆記具は、軸筒及び／又はキャップを樹脂材料で形成しているため、繰り返しキャップの着脱を行うため、経時によって、軸筒の外壁に形成した突部と、キャップ本体の内壁に形成した凸部が擦り減る等、寸法変化が生じやすく、その結果、軸筒とキャップの嵌合力の低下してしまう恐れがあった。同様に、キャップの内壁及び軸筒の突起部も経時により寸法変化が生じ、圧入力も低下するため、嵌合力の低下を防止しにくく、気密性も低下する。
【００１０】
そのため、軸筒とキャップが圧入力を増加するため、ラップする部分を多く設定し、経時による寸法変化が起こっても、キャップ内部の気密性を確保することも考えらるが、初期の軸筒へのキャップの装着性が著しく低下するとともに、酷い場合には、軸筒及び／又はキャップにひび割れが発生してしまう恐れがあった。
【００１１】
本発明の目的は、軸筒に、キャップを容易に着脱自在に装着でき、キャップ内の気密性が低下しにくいキャップ式筆記具を提供するものである。
【課題を解決するための手段】
【００１２】
本発明は前記目的を達成するために、軸筒の先端部に、合成樹脂製からなるキャップを着脱自在に装着するキャップ式筆記具であって、前記キャップが、キャップ本体の外壁の後端部に、弾性体からなる滑り止め部を周設するとともに、前記キャップ本体を軸筒に装着した状態で、前記滑り止め部が前記軸筒の先端部に周接し、キャップ本体内を気密にしたことを特徴とする。
【００１３】
また、前記キャップ本体の後端面が、滑り止め部であることを特徴とする請求項１に記載のキャップ式筆記具。
【００１４】
また、前記キャップ本体が、透明又は半透明の合成樹脂からなるとともに、前記滑り止め部が半透明又は不透明の弾性体からなり、前記滑り止め部を周設した部分のキャップ本体の内壁面に、筆記具本体と嵌合する嵌合部を形成したことを特徴とする請求項１または２に記載のキャップ式筆記具。
【００１５】
本発明の弾性体は、弾性変形可能なシリコーンゴム、天然ゴム、ブチルゴム、フッ素ゴム、塩化ビニル樹脂、ブタジエンゴム、ウレタンゴム、ポリエチレン樹脂、その他合成ゴム、熱可塑性エラストマー等、筆記具のグリップ部材として一般的に知られている弾性体のなかから適宜選定すればよい。
【発明の効果】
【００１６】
本発明の筆記具は前述したような構造なので、軸筒に、キャップを容易に着脱自在に装着でき、キャップ内の気密性が低下しにくいキャップ式筆記具を提供することができた。
【発明を実施するための最良の形態】
【００１７】
本発明の実施例を図面を用いて説明する。同じ部材、同じ箇所を示すものは同じ符号を付す。
【００１８】
図１から図４に示す実施例１のキャップ式筆記具１は、前軸２と後軸３とを連結した軸筒本体内に、筆記具用インキ（図示せず）を直詰めしたインキ収容筒１０の先端に、ボールを回転自在に抱持したボールペンチップ１２を、チップホルダー１１を介して装着したボールペンレフィルを配設した筆記具本体と、ポリカーボネート樹脂（ＰＣ樹脂）で射出成形にて形成した透明のキャップ本体４とを、前軸２の外壁に形成した嵌合凸部２ａと、キャップ本体４の内壁に形成した嵌合突部４ａの乗り越し嵌合によって、着脱自在に装着して、キャップ式筆記具１を得ている。また、前軸２の把持部にはグリップ部材１３を装着してある。
【００１９】
また、キャップ４は、キャップ本体５の外壁に、転がり防止用突起７を一体に成形し、キャップ本体５の内部にペン先部を密閉するシール部材９を付設するとともに、キャップ本体４の後端部には熱可塑性エラストマーからなる弾性体を二色成形し、滑り止め部６を周状に設けてある転がり防止用突起には、紐などを挿通するための貫通穴８を形成してある。
【００２０】
また、キャップ４は、滑り止め部６の後端面６ａの位置Ｌがキャップ本体５の後端面５ｂの位置Ｍよりも後方に位置するように装着してある。この滑り止め部６の先端面は波形状に形成してある。
【００２１】
また、キャップ４を前軸２に装着した状態で、前軸２の鍔部２ｂの先端面と滑り止め部６の後端面６ａが周接し、滑り止め部６が弾性変形することによってキャップ本体５内を気密にしてある。弾性体の滑り止め部６が前軸２に周接することで、キャップ４内を気密にしているため、経時によって寸法変化が生じ難く、弾性変形によって確実にキャップ４内を気密することができる。
【００２２】
キャップ本体５と前軸２との装着方法は、着脱自在に装着してあれば、ネジ嵌合、凹凸嵌合、乗り越し嵌合等、特に限定されるものではないが、キャップ本体５の後端部の外壁に、弾性体によって手で掴んだ時の滑り止め部６を形成することによって、キャップ本体の軸心方向や回転方向へ移動し易くなるため、キャップ４の着脱が容易になる。特に、凹凸嵌合や乗り越し嵌合の場合は、繰り返しの使用や経時によって、嵌合力が低下する恐れがあるため、初期の嵌合力を高くする必要があるため、本願発明の効果は顕著である。
【００２３】
また、半透明又は不透明の滑り止め部６を装着した場合には、この滑り止め部６の内壁面に、前軸２と嵌合する嵌合凸部５ａを形成することによって、キャップ本体５を透明又は半透明で形成してあっても、前軸２との凹凸嵌合や乗り越し嵌合時に当接し擦れる部分が、経時によって白化しても、滑り止め部６によって内部が視認し難いため、見栄えが悪くなることはないので好ましい。
【００２４】
図５から図７に示す実施例２のキャップ式筆記具２１は、滑り止め部２６の後端部に鍔部２６ｂを形成し、前軸２２の鍔部２２ｂに突部２２ｃを形成した以外は、実施例１と同様にしてキャップ式筆記具２１を得ている。
【００２５】
キャップ２４を前軸２２に装着した状態で、前軸２２の鍔部２ｂの先端面に形成した突部２２ｃとキャップ本体２５に周設した滑り止め部２６に形成した鍔部２６ｂの後端面２６ａが周接し、キャップ２４内を気密にしてある。
【００２６】
キャップ内を気密にする構造は、キャップ本体に形成した滑り止め部と軸筒が周接していれば特に限定されるものではないが、滑り止め部の後端面を軸筒に当接して気密にする構造が経時による劣化がなく最も好ましい。また、滑り止め部に鍔部を形成することによって、肉厚が厚くなり軸筒に周接し易くなるので好ましい。更にまた、滑り止め部の後端面がキャップ本体の後端面よりも後方に位置する構造及び／又は軸筒の鍔部に突部を形成したりすることよって、軸筒と滑り止め部が確実に周接するため好ましい。
【００２７】
本実施例では、便宜上、筆記具のキャップ本体をポリカーボネート（ＰＣ樹脂）で形成してあるが、ＡＳ樹脂やＰＰ樹脂等の合成樹脂材料など、筆記具用キャップ本体して一般的に用いられる合成樹脂材料のなかから適宜選定すればよいが、筆記具用キャップ本体を透明又は半透明に形成することによって、滑り止め部と色彩の変化が大きく、装飾効果が向上するので好ましい。
【産業上の利用可能性】
【００２８】
本発明のキャップ式筆記具は、キャップ本体を着脱自在に装着したキャップ式筆記具であれば、ボールペンやマーカーなど、インキの種類やペン先形状等、筆記体や、軸筒等の形状や内部構造等、筆記具本体に限定されることなく実施することができる。
【図面の簡単な説明】
【００２９】
【図１】実施例１のキャップ式筆記具を示す縦断面図である。
【図２】図１におけるキャップ本体の縦断面図である。
【図３】図１における筆記具本体の縦断面図である。
【図４】図１におけるキャップ本体の外観図
【図５】実施例２のキャップ式筆記具を示す縦断面図である。
【図６】図５におけるキャップ本体の縦断面図である。
【図７】図５における筆記具本体の縦断面図である。
【符号の説明】
【００３０】
１、２１  キャップ式筆記具
２、２２  前軸
２ａ、２２ａ  嵌合凸部
２ｂ、２２ｂ  鍔部
２２ｃ  突部
３、２３  後軸
４、２４  キャップ
５、２５  キャップ本体
５ａ、２５ａ  嵌合突部
６、２６  滑り止め部
６ａ、２６ａ  後端面
２６ｂ  鍔部
１０  インキ収容筒
１１  チップホルダー
１２  ボールペンチップ
【図１】
2008183734.tif 000003
【図２】
2008183734.tif 000004
【図３】
2008183734.tif 000005
【図４】
2008183734.tif 000006
【図５】
2008183734.tif 000007
【図６】
2008183734.tif 000008
【図７】
2008183734.tif 000009